(57)【要約】【課題】携帯テレビ受信装置と据置きテレビ受信装置とで視聴している番組を途切れることなく連携して連続視聴するには、視聴者の操作入力が必要である。【解決手段】携帯テレビ受信装置１０１がテレビ放送を受信するためのテレビ受信部１９と振動センサー１０と赤外線送信部９とを備え、据置きテレビ受信装置１０２がテレビ受信部１８と赤外線受信部１６とを備え、振動センサー１０によって携帯テレビ受信装置１０１の移動、静止状態を判別してその状態遷移検出信号に基づいてリモコン信号を出力することにより携帯テレビ受信装置１０１の選局情報を据置きテレビ受信装置１０２に転送し、視聴中の番組を連携して継続視聴できる。【選択図】図１
2007074056.tif 000002
【特許請求の範囲】
【請求項１】
テレビ放送を選局する操作入力を受付けて選局するとともに選局情報を記憶する制御手段と、テレビ放送を選局して少なくとも映像信号と音声信号とを出力する出力手段とを有するテレビ受信部と、移動する際に生じる振動を検知する振動センサーと、前記選局情報をリモコン信号として出力する送信部とを備えた携帯テレビ受信装置と、前記携帯テレビ受信装置のリモコン信号を受信する受信部と、テレビ放送を選局して少なくとも映像信号と音声信号とを出力するテレビ受信部とを備えた据置きテレビ受信装置とからなることを特徴とするテレビ受信システム。
【請求項２】
テレビ放送を選局する操作入力を受付けて選局するとともに選局情報を記憶する制御手段と、テレビ放送を選局して少なくとも映像信号と音声信号とを出力する出力手段とを有するテレビ受信部と、移動する際に生じる振動を検知する振動センサーと、前記選局情報をリモコン信号として出力する送信部とリモコン信号を入力する受信部とを備えた携帯テレビ受信装置と、前記携帯テレビ受信装置のリモコン信号を受信する受信部とリモコン信号を出力する送信部と、テレビ放送を選局する操作入力を受付けて選局するとともに選局情報を記憶する制御手段と、テレビ放送を選局して少なくとも映像信号と音声信号とを出力するテレビ受信部とを備えた据置きテレビ受信装置とからなることを特徴とするテレビ受信システム。
【請求項３】
テレビ放送を選局する操作入力を受付けて選局するとともに選局情報を記憶する制御手段と、テレビ放送を選局して少なくとも映像信号と音声信号とを出力する出力手段とを有するテレビ受信部と、移動する際に生じる振動を検知する振動センサーと、前記選局情報をリモコン信号として出力する送信部とを備えた携帯テレビ受信装置。
【請求項４】
前記振動センサーは、前記携帯テレビ受信装置の移動する際に生じる振動を検知している状態から検知していない状態に遷移した際に生成する第１の状態遷移検出信号に基づいて携帯テレビ受信装置の送信部から選局情報をリモコン信号として出力し制御するように構成したことを特徴とする請求項３に記載の携帯テレビ受信装置。
【請求項５】
前記振動センサーは、前記携帯テレビ受信装置の移動する際に生じる振動を検知していない状態から検知している状態に遷移した際に生成する第２の状態遷移検出信号に基づいて、携帯テレビ受信装置の送信部から第２の状態遷移検出信号に基づいてリモコン信号として出力して前記据置きテレビ受信装置を制御するように構成したことを特徴とする請求項３に記載の携帯テレビ受信装置。
【請求項６】
前記振動センサーは、前記携帯テレビ受信装置の移動する際に生じる振動を検知している状態から検知していない状態に遷移した際に生成する第１の状態遷移検出信号に基づいて携帯テレビ受信装置の送信部から第１の状態遷移検出信号をリモコン信号として出力し、前記据置きテレビ受信装置は受信部から第１の状態遷移検出信号を含むリモコン信号を入力するとともにその時点の視聴状態信号を送信部からリモコン信号として出力し、さらに携帯テレビ受信装置は受信部から前記の視聴状態信号を含むリモコン信号を入力するとともにその視聴状態信号に基づいて選局情報を送信部からリモコン信号として出力し、前記据置きテレビ受信装置が前記選局情報を含むリモコン信号を入力してテレビ放送を選局制御するように構成したことを特徴とする請求項２に記載のテレビ受信システム。
【請求項７】
前記振動センサーは、前記携帯テレビ受信装置の移動する際に生じる振動を検知していない状態から検知している状態に遷移した際に生成する第２の状態遷移検出信号に基づいて携帯テレビ受信装置の送信部から第２の状態遷移検出信号をリモコン信号として出力し、前記据置きテレビ受信装置は受信部から第２の状態遷移検出信号を含むリモコン信号を入力するとともにその時点の視聴状態信号と選局情報とを送信部からリモコン信号として出力し、さらに携帯テレビ受信装置は受信部から前記視聴状態信号と選局情報とを含むリモコン信号を入力してその選局情報に基づくテレビ放送を選局制御するとともに、視聴状態信号に基づいてリモコン信号として出力して前記据置きテレビ受信装置を制御するように構成したことを特徴とする請求項２に記載のテレビ受信システム。
【発明の詳細な説明】
【技術分野】
【０００１】
本発明は、テレビ受信システム及び携帯テレビ受信装置に関するものである。
【背景技術】
【０００２】
近年、携帯電話や車載用のテレビ受信装置等の移動体用途のデジタル放送受信装置において、デジタルテレビ放送を受信するための技術が開発されている。これにともない携帯テレビ受信装置は、屋内、戸外を問わず使用できるため、視聴機会・場所が拡大されることが予想される。
【０００３】
視聴者が帰宅途中に携帯テレビ受信装置などによって番組を視聴しつつ、自宅に帰った場合を想定する。その際に継続して同じ番組を自宅の据置きテレビ受信装置で見るためには、据置きテレビ受信装置の電源を入れて今まで見ていた番組を選局することが必要となる。これを途切れることなく連続して番組を視聴するための携帯型の機器が、例えば特許文献１に開示されている。それは携帯型の機器に備わる転送ボタンを押下して、現在受信中の周波数チャンネル情報を据置きテレビ受信装置に転送し、据置きテレビ受信装置はその情報をもとに選局を行い番組を視聴できるようにするというものである。
【０００４】
また携帯型の機器ではないが、ホームネットワークに属する電子機器がネットワーク経由で得られた宅内の人の位置情報を元に家庭内の機器を制御する技術について、例えば特許文献２に開示されている。これは人の位置情報やその変化から、人の覚醒状態や居る部屋を特定し、ホームネットワークに繋がる最適な機器を作動させて利用者の利便性の向上を図るものである。
【特許文献１】特開２００４−２２８６３９号公報
【特許文献２】特開２００４−１７３１８５号公報
【発明の開示】
【発明が解決しようとする課題】
【０００５】
しかしながら、携帯テレビ受信装置を宅内においてあるいは庭先などにおいて視聴していて、大型で臨場感あふれる据置きテレビ受信装置などの備え付けられた居間に移動して同じ番組を継続して視聴する状況を想定した場合、従来の技術では携帯テレビ受信装置に備わる転送ボタンの押下などのように何かしら視聴者が操作しなければならないという課題があった。
【０００６】
本発明はこのような従来の課題を解決するものであり、携帯テレビ受信装置を用いて番組を視聴しながら部屋を移動した場合において、据置きテレビ受信装置の備え付けられた居間等に入ったときに特段の入力操作なしに携帯テレビ受信装置から据置きテレビ受信装置へと途切れることなく継続して番組を視聴できるテレビ受信システム及び携帯テレビ受信装置を提供することを目的とする。
【課題を解決するための手段】
【０００７】
上記目的を達成するために本発明のテレビ受信システムは、テレビ放送を選局する操作入力を受付けて選局するとともに選局情報を記憶する制御手段と、テレビ放送を選局して少なくとも映像信号と音声信号とを出力する出力手段とを有するテレビ受信部と、移動する際に生じる振動を検知する振動センサーと、前記選局情報をリモコン信号として出力する送信部とを備えた携帯テレビ受信装置と、前記携帯テレビ受信装置のリモコン信号を受信する受信部と、テレビ放送を選局して少なくとも映像信号と音声信号とを出力するテレビ受信部とを備えた据置きテレビ受信装置とからなることを特徴とする。
【発明の効果】
【０００８】
本発明のテレビ受信システムは、携帯テレビ受信装置に振動センサーを備えることにより、携帯テレビ受信装置の移動あるいは設置状態を検出して携帯テレビ受信装置と据置きテレビ受信装置とで視聴番組を継続して視聴することができるという効果が得られる。
【発明を実施するための最良の形態】
【０００９】
本発明のテレビ受信システムは、テレビ放送を選局する操作入力を受付けて選局するとともに選局情報を記憶する制御手段と、テレビ放送を選局して少なくとも映像信号と音声信号とを出力する出力手段とを有するテレビ受信部と、移動する際に生じる振動を検知する振動センサーと、前記選局情報をリモコン信号として出力する送信部とを備えた携帯テレビ受信装置と、前記携帯テレビ受信装置のリモコン信号を受信する受信部と、テレビ放送を選局して少なくとも映像信号と音声信号とを出力するテレビ受信部とを備えた据置きテレビ受信装置とからなるというものである。
【００１０】
これにより、携帯テレビ受信装置が振動センサーを備えることにより、携帯テレビ受信装置の移動あるいは設置状態を検出して選局情報をリモコン信号として出力し、そのリモコン信号を据置きテレビ受信装置が受信することにより、携帯テレビ受信装置において視聴していた番組を据置きテレビ受信装置で継続して視聴することができる。
【００１１】
また本発明のテレビ受信システムは、テレビ放送を選局する操作入力を受付けて選局するとともに選局情報を記憶する制御手段と、テレビ放送を選局して少なくとも映像信号と音声信号とを出力する出力手段とを有するテレビ受信部と、移動する際に生じる振動を検知する振動センサーと、前記選局情報をリモコン信号として出力する送信部とリモコン信号を入力する受信部とを備えた携帯テレビ受信装置と、前記携帯テレビ受信装置のリモコン信号を受信する受信部とリモコン信号を出力する送信部と、テレビ放送を選局する操作入力を受付けて選局するとともに選局情報を記憶する制御手段と、テレビ放送を選局して少なくとも映像信号と音声信号とを出力するテレビ受信部とを備えた据置きテレビ受信装置とからなることを特徴とするものである。
【００１２】
これによって、携帯テレビ受信装置が振動センサーを備えることにより、携帯テレビ受信装置の移動あるいは設置状態を検出して選局情報をリモコン信号として出力し、そのリモコン信号を据置きテレビ受信装置が受信することにより、携帯テレビ受信装置において視聴していた番組を据置きテレビ受信装置で継続して視聴することができる。また、据置きテレビ受信装置がリモコン信号を出力する送信部と、テレビ放送を選局する操作入力を受付けて選局するとともに選局情報を記憶する制御手段とを備えるようにすることにより、据置きテレビ受信装置において視聴していた番組を携帯テレビ受信装置で継続して視聴することができる。
【００１３】
さらに本発明の携帯テレビ受信装置は、テレビ放送を選局する操作入力を受付けて選局するとともに選局情報を記憶する制御手段と、テレビ放送を選局して少なくとも映像信号と音声信号とを出力する出力手段とを有するテレビ受信部と、移動する際に生じる振動を検知する振動センサーと、前記選局情報をリモコン信号として出力する送信部とを備えている。
【００１４】
これにより、携帯テレビ受信装置が振動センサーを備えることにより、携帯テレビ受信装置の移動あるいは設置状態を検出して、制御手段が記憶する選局情報をリモコン信号として出力する。そのリモコン信号によって、据置きテレビ受信装置や他の携帯テレビ受信装置やテレビ放送の受信機能を内蔵したパーソナルコンピュータなどのリモコン信号を入力できる外部機器を制御して選局情報を受け渡すことができる。
【００１５】
また、携帯テレビ受信装置に備わる振動センサーは、携帯テレビ受信装置の移動する際に生じる振動を検知している状態から検知していない状態に遷移した際に生成する第１の状態遷移検出信号に基づいて、携帯テレビ受信装置の送信部から選局情報をリモコン信号として出力し制御するように構成したというものである。
【００１６】
これにより、携帯テレビ受信装置に備わる振動センサーは携帯テレビ受信装置の移動する際に生じる振動を検知している状態から検知していない状態に遷移した際に、第１の状態遷移検出信号を生成することにより、その第１の状態遷移検出信号に基づいて送信部から選局情報をリモコン信号として出力することができる。それゆえ、そのリモコン信号によって、据置きテレビ受信装置などのリモコン信号を入力できる外部機器を制御して選局情報を受け渡すことができる。
【００１７】
さらに、携帯テレビ受信装置に備わる前記振動センサーは、携帯テレビ受信装置の移動する際に生じる振動を検知していない状態から検知している状態に遷移した際に生成する第２の状態遷移検出信号に基づいて、携帯テレビ受信装置の送信部から第２の状態遷移検出信号に基づいてリモコン信号を出力して、据置きテレビ受信装置を制御するように構成したというものである。
【００１８】
これにより、携帯テレビ受信装置に備わる前記振動センサーは、携帯テレビ受信装置の移動する際に生じる振動を検知していない状態から検知している状態に遷移した際に、第２の状態遷移検出信号を生成することにより、その第２の状態遷移検出信号に基づいて送信部からリモコン信号を出力することができる。それゆえ、そのリモコン信号によって、据置きテレビ受信装置などのリモコン信号を入力できる外部機器を制御してすることができる。
【００１９】
さらに、本発明のテレビ受信システムに備わる振動センサーは、携帯テレビ受信装置の移動する際に生じる振動を検知している状態から検知していない状態に遷移した際に生成する第１の状態遷移検出信号に基づいて携帯テレビ受信装置の送信部から第１の状態遷移検出信号をリモコン信号として出力し、据置きテレビ受信装置は受信部から第１の状態遷移検出信号を含むリモコン信号を入力するとともにその時点の視聴状態信号を送信部からリモコン信号として出力し、さらに携帯テレビ受信装置は受信部から視聴状態信号を含むリモコン信号を入力するとともにその視聴状態信号に基づいて選局情報を送信部からリモコン信号として出力し、据置きテレビ受信装置が選局情報を含むリモコン信号を入力してテレビ放送を選局制御するように構成したというものである。
【００２０】
これにより、携帯テレビ受信装置に備わる振動センサーは携帯テレビ受信装置の移動する際に生じる振動を検知している状態から検知していない状態に遷移した際に、第１の状態遷移検出信号を生成することにより、その第１の状態遷移検出信号に基づいて送信部から第１の状態遷移検出信号をリモコン信号として出力する。据置きテレビ受信装置は受信部から第１の状態遷移検出信号を含むリモコン信号を入力するとともにその時点の視聴状態信号を送信部からリモコン信号として出力する。携帯テレビ受信装置は受信部から視聴状態信号を含むリモコン信号を入力するとともにその視聴状態信号に基づいて選局情報を送信部からリモコン信号として出力し、据置きテレビ受信装置が選局情報を含むリモコン信号を入力してテレビ放送を選局制御することができる。
【００２１】
またその際に、視聴状態信号に電源が印加されていない状態を示す信号が含まれていれば電源を印加する信号を含めることが可能である。また既に視聴中であり、外部からの制御を受け付けないとする設定が行われていれば、電力の節約の目的から選局情報は送らないことも選択できる。さらに携帯テレビ受信装置及び据置きテレビ受信装置において、外部からの制御を受け付けないとする設定がなされていることを画面表示することにより視聴者の利便に供することができるという効果がある。
【００２２】
またさらに、本発明のテレビ受信システムに備わる振動センサーは、携帯テレビ受信装置の移動する際に生じる振動を検知していない状態から検知している状態に遷移した際に生成する第２の状態遷移検出信号に基づいて携帯テレビ受信装置の送信部から第２の状態遷移検出信号をリモコン信号として出力し、据置きテレビ受信装置は受信部から第２の状態遷移検出信号を含むリモコン信号を入力するとともにその時点の視聴状態信号と選局情報とを送信部からリモコン信号として出力し、さらに携帯テレビ受信装置は受信部から視聴状態信号と選局情報とを含むリモコン信号を入力してその選局情報に基づくテレビ放送を選局制御するとともに、視聴状態信号に基づいてリモコン信号として出力して、据置きテレビ受信装置を制御するように構成したというものである。
【００２３】
これにより、携帯テレビ受信装置に備わる振動センサーは携帯テレビ受信装置の移動する際に生じる振動を検知していない状態から検知している状態に遷移した際に生成する第２の状態遷移検出信号に基づいて携帯テレビ受信装置の送信部から第２の状態遷移検出信号をリモコン信号として出力する。据置きテレビ受信装置は受信部から第２の状態遷移検出信号を含むリモコン信号を入力するとともにその時点の視聴状態信号と選局情報とを送信部からリモコン信号として出力する。携帯テレビ受信装置は受信部から視聴状態信号と選局情報とを含むリモコン信号を入力してその選局情報に基づくテレビ放送を選局制御するとともに、視聴状態信号に基づいてリモコン信号として出力して、据置きテレビ受信装置を制御することができる。
【００２４】
またその際に、据置きテレビ受信装置において、外部からの制御を受け付けないとする設定がなされていることを画面表示することにより視聴者の利便に供することができるという効果がある。さらに据置きテレビ受信装置が依然として受信中であるとの情報を発するようにすれば点け忘れ防止を図ることができる。
【００２５】
（実施の形態）
以下、本発明を実施の形態について、図面を参照しながら説明する。
【００２６】
（第１の実施の形態）
図１は本発明の第１の実施の形態におけるテレビ受信システムを示す構成図である。図１において、１０１は携帯テレビ受信装置、１０２は据置きテレビ受信装置である。携帯テレビ受信装置１０１は視聴者が簡単に抱えて、あるいは手に持って移動させることのできるテレビ受信装置である。据置きテレビ受信装置１０２は家庭の居間などに設置されている大型のテレビ受信装置であり、日常的には移動されることがなく、備え付けられて利用されることが一般的である。
【００２７】
アンテナ１は、テレビ放送の電波を受信する。選局部２は、ＲＦ信号から視聴者の操作などにより番組のテレビ信号を選局する。復調部３は、映像信号、音声信号、情報データを復調する。制御部４は、携帯テレビ受信装置１０１の各部を制御する。記憶部５には、選局中のチャンネル情報などデータを記憶する。表示部６は、復調された映像信号を表示する。スピーカ７は、音声信号を出力する。操作部８は、視聴者が選局などの操作を行うための入力手段であり、電源スイッチや所望の番組を選択して視聴するためにチャンネルのアップ・ダウンキーなどが配置される。リモコン信号を出力する送信部としての赤外線送信部９は、チャンネル情報などをリモコン信号として出力する。振動センサー１０は、携帯テレビ受信装置１０１が移動などの際に生じる振動を検出する。すなわち携帯テレビ受信装置１０１が机などの上に置かれて設置した状態、あるいは静止した場合には振動は検出されない。この際には振動センサー１０は、第１の状態遷移検出信号を出力する。また、携帯テレビ受信装置１０１が移動中であるときにはその本体は何がしかの振動が生じており、この際には第２の状態遷移検出信号を出力する。テレビ受信部１９は、携帯テレビ受信装置１０１において、テレビ放送を受信・選局し、映像・音声・情報データを出力し、使用者の入力操作、データ格納のテレビ基本機能を行う。
【００２８】
据置きテレビ受信装置１０２において、テレビ受信部１８はテレビ放送を受信・選局し、映像・音声・情報データを出力し、使用者の入力操作、データ格納のテレビ基本機能を行う。リモコン信号を受信する受信部としての赤外線受信部１６は、チャンネル情報や電源オン、オフなどの制御信号を含むリモコン信号を受信する。
【００２９】
上記の構成を有するテレビ受信システムの動作について、図２の振動センサーの動作フローチャート及び図３のリモコン信号交信手順図を参照しながら説明する。図２に示すように振動センサー１０は２つの状態遷移検出信号を有する。まず最初にステップＳ２００において静止状態かどうかを判定して、静止状態となったらステップＳ２０１に進んで第１の状態遷移検出信号を出力する。次にステップＳ２０２において振動状態かどうかを判定する。それが振動状態になればステップＳ２０３に進んで第２の状態遷移検出信号を出力する。そして最初のステップであるＳ２００に戻る。
【００３０】
図１に示したようにテレビ受信部１９の制御部４は振動センサー１０の信号を入力して、第１もしくは第２の状態遷移検出信号に変化したかを判定している。これにより携帯テレビ受信装置１０１が設置されたか、あるいは移動を始めたかを判定することができる。すなわちステップＳ２００からステップＳ２０１に変化した時点が移動の終了により設置されたときである。またステップＳ２０２からステップＳ２０３に変化した時点が設置状態から移動状態になったときである。
【００３１】
図３は携帯テレビ受信装置１０１と据置きテレビ受信装置１０２との間のリモコン信号交信手順を示す図である。図３（ａ）は携帯テレビ受信装置１０１を用いてあるテレビ番組を視聴していて、それを手に持って移動して居間などに入って、据置きテレビ受信装置１０２と赤外線によるリモコン信号のやり取りができるところにおかれた場合を想定している。係る場合、図に示すように振動を検知していない状態へ遷移したことになり、この際に振動センサー１０からの第１の状態遷移検出信号への変化を検出して、携帯テレビ受信装置１０１の赤外線送信部９はリモコン信号にそのとき受信していたチャンネル情報などの選局情報を付加して送信する。
【００３２】
据置きテレビ受信装置１０２の赤外線受信部１６はこのリモコン信号を入力して、その選局情報に基づいて番組を選択できる。これにより視聴者は居間に入って携帯テレビ受信装置１０１を机などの上に置くなどして静止状態にするだけで、据置きテレビ受信装置１０２が自動的に制御されるので、これまで視聴していた番組を特別な操作なしに継続して視聴できることになるという効果がある。
【００３３】
なお、据置きテレビ受信装置１０２が、待機状態などの電源が印加されていない場合でも電源を入れて視聴できるようにするには、リモコン信号に電源を印加するための電源信号を追加し、据置きテレビ受信装置１０２が第１の状態遷移検出信号と電源信号とを受信した場合には電源信号によって装置の電源を印加するように制御すれば良い。また仮に既に印加されていた場合には無視するようにすれば良い。
【００３４】
また、チャンネル情報はリモコンのポジション番号やチャンネル番号でも良いし、携帯テレビ受信装置１０１と据置きテレビ受信装置１０２とがそれぞれあるいは片方に相互のチャンネル情報の変換表を予め記憶しておいて、視聴者の意思によって切り替えるべき番組あるいは放送局を設定しておくことが可能である。
【００３５】
次に、図３（ｂ）は据置きテレビ受信装置１０２を用いてあるテレビ番組を視聴していて、机などに置かれた携帯テレビ受信装置１０１を手に取って移動し、他の部屋などで携帯テレビ受信装置１０１を用いて番組を視聴し続ける場合を想定している。図に示すように振動を検知している状態へ遷移した場合になり、この際に振動センサー１０からの第２の状態遷移検出信号への変化を検出して、携帯テレビ受信装置１０１の赤外線送信部９は第２の状態遷移検出信号に基づいて据置きテレビ受信装置１０２の電源を切ることができる。この際、携帯テレビ受信装置１０１は以前に受信していた選局情報から番組を選局することとなる。
【００３６】
なお、別の視聴者が据置きテレビ受信装置１０２を視聴し続ける場合には、むしろ電源を切ることは望ましくない。この場合には通常のリモコン信号による制御と区別して動作させるために、第２の状態遷移検出信号に基づいた動作であることを利用することができる。そこで携帯テレビ受信装置１０１からの選局情報に基づいて視聴を始めなかった場合には先の制御方法にもかかわらず、電源を切らないように予め設定しておくことも可能である。また画面表示としてこの際に電源を切ることの予告をしてしばらくリモコン信号などによる視聴者からの制御が行われなかった場合にのみ電源を切るようにしても良い。
【００３７】
（第２の実施の形態）
図４は本発明の第２の実施の形態におけるテレビ受信システムを示す構成図である。図４において、１０１は携帯テレビ受信装置、１０２は据置きテレビ受信装置であり、図１の各部に加えて、リモコン信号を受信する受信部としての赤外線受信部１１とリモコン信号を出力する送信部としての赤外線送信部１７とを加えた構成になっている。テレビ受信部１８及び１９、振動センサー１０、赤外線送信部９、赤外線受信部１６の機能は第１の実施の形態と同様である。
【００３８】
このように構成されたテレビ受信システムの動作について、図５のリモコン信号交信手順図を参照しながら説明する。図５（ａ）は携帯テレビ受信装置１０１を用いてあるテレビ番組を視聴していて、それを手に持って移動して居間などに入って、据置きテレビ受信装置１０２と赤外線によるリモコン信号のやり取りができるところにおかれた場合を想定している。係る場合、図に示すように振動を検知していない状態へ遷移したことになり、この際に振動センサー１０からの第１の状態遷移検出信号への変化を制御部４が検出する。
【００３９】
そしてステップＳ１１において携帯テレビ受信装置１０１の赤外線送信部９はリモコン信号に第１の状態遷移検出信号を付加して送信する。据置きテレビ受信装置１０２はそのリモコン信号を赤外線受信部１６において受信する。ここで据置きテレビ受信装置１０２はその時点で携帯テレビ受信装置１０１が受信している選局情報を受け渡す準備ができていることを認識する。
【００４０】
次にステップＳ１２においてその時点で据置きテレビ受信装置１０２が待機状態であれば、受信状態にするべくその各部に電源を印加する。そして選局情報を要求するために、待機中であるかあるいは受信中であるかを示す視聴状態信号Ｓ１を赤外線送信部１７からリモコン信号に付加して送信する。また据置きテレビ受信装置１０２が携帯テレビ受信装置１０１からの制御を受けないように設定してある場合には、視聴状態信号Ｓ２としてロック済みかどうかを判定できる信号をリモコン信号に付加して送信する。携帯テレビ受信装置１０１は赤外線受信部１１においてそのリモコン信号を受信する。
【００４１】
次にステップＳ１３において携帯テレビ受信装置１０１は視聴状態信号Ｓ１、Ｓ２に基づいて据置きテレビ受信装置１０２がロック状態でなければ、その時点で受信している番組に関わる選局情報を赤外線送信部９からリモコン信号に付加して送信する。据置きテレビ受信装置１０２はそのリモコン信号を赤外線受信部１６において受信する。
【００４２】
そしてステップＳ１４において据置きテレビ受信装置１０２は受信した選局情報に基づいて選局制御を行い、携帯テレビ受信装置１０１において受信していた番組を選局できることとなる。さらに受信応答信号をリモコン信号として送信する。携帯テレビ受信装置１０１はそのリモコン信号を受信して、自らを待機状態に設定することにより節電を図ることができる。
【００４３】
次に、図５（ｂ）は据置きテレビ受信装置１０２を用いてあるテレビ番組を視聴していて、机などに置かれた携帯テレビ受信装置１０１を手に取って移動し、他の部屋などで携帯テレビ受信装置１０１を用いて番組を視聴し続ける場合を想定している。図に示すように振動を検知している状態へ遷移した場合になり、この際に振動センサー１０からの第２の状態遷移検出信号への変化を制御部４が検出する。それに基づいて携帯テレビ受信装置１０１が仮に待機状態であれば、その各部に電源を印加する。但し、選局部２、復調部３、表示部６などの受信・表示に関わる各部はこの際には不要であり、特に作動する必要はない。
【００４４】
そしてステップＳ２１において携帯テレビ受信装置１０１の赤外線送信部９はリモコン信号に第２の状態遷移検出信号を付加して送信する。据置きテレビ受信装置１０２はそのリモコン信号を赤外線受信部１６において受信する。ここで据置きテレビ受信装置１０２はその時点で携帯テレビ受信装置１０１が移動を開始しようとしていることを認識できる。
【００４５】
次にステップＳ２２においてその時点で据置きテレビ受信装置１０２が待機状態であれば受信状態にするべく各部に電源を印加する。そして選局情報と待機中であるかあるいは受信中であるかを示す視聴状態信号Ｓ１とを赤外線送信部１７からリモコン信号に付加して送信する。これによりその時点で受信していた番組あるいは待機中になる前に受信していた番組に関わる選局情報が送信されることになる。
【００４６】
また、据置きテレビ受信装置１０２が携帯テレビ受信装置１０１からの制御を受けないように設定してある場合には、視聴状態信号Ｓ２としてロック済みかどうかを判定できる信号をリモコン信号に付加して送信する。携帯テレビ受信装置１０１は赤外線受信部１１において、そのリモコン信号を受信する。
【００４７】
次にステップＳ２３において携帯テレビ受信装置１０１は受信した選局情報に基づいて選局制御を行い、据置きテレビ受信装置１０２が受信していた番組あるいは最後に受信していた番組を継続して視聴できるようになる。次に受信した視聴状態信号Ｓ２がロック済みに設定されてない場合にはリモコン信号を介して据置きテレビ受信装置１０２の電源を遮断させるための信号を赤外線送信部９からリモコン信号に付加して送信する。据置きテレビ受信装置１０２はそのリモコン信号を受信して電源を遮断できる。
【００４８】
そしてステップ２４において据置きテレビ受信装置１０２は視聴状態信号をリモコン信号に付加して送信することにより、受信応答をする。それを受信して、携帯テレビ受信装置１０１は据置きテレビ受信装置１０２の電源を遮断できたかあるいはロック状態であり番組を受信し続けているかを認識できる。そこで移動中の携帯テレビ受信装置１０１において、音声や画面表示により据置きテレビ受信装置１０２の電源が遮断されていない場合には視聴者に対して有益な情報を提供できるという効果がある。
【００４９】
なお、携帯テレビ受信装置１０１にタイマー１３を備え、時間計測のできるタイマー機能を持たせてもよい。この場合、携帯テレビ受信装置１０１が第１または第２の状態遷移信号を送信した後、据置きテレビ受信装置１０２からの視聴状態信号等の所定の応答がされるまでの時間をかかるタイマー機能で計測する。一定時間、所定の応答がない場合は、第１または第２の状態遷移信号を再送する。このようにすれば、一時的な障害によって通信ができなかったとしても、再送した信号によって動作を確実に行うことができる。
【００５０】
また、再送回数は所定の回数で打ち切るようにしてもよい。この場合、再送した信号に対しても所定の応答がないことから、据置きテレビ受信装置１０２がない、あるいは据置きテレビ受信装置１０２の全機能の電源供給が完全にＯＦＦであると判断でき、以後の動作を打ち切ることができる。
【００５１】
さらに、視聴状態信号Ｓ１については、待機中と受信中とを異なる信号としてもよい。このようにすると、待機中であれば上記一連の動作をするが、受信中の場合は、既に他の者が視聴中であると判断して、以後の信号を送信しないようにすることができる。
【００５２】
（第３の実施の形態）
図６は本発明の第３の実施の形態におけるテレビ受信システムを示す構成図である。図６において、１０１，２０２は携帯テレビ受信装置、１０２，２０３は据置きテレビ受信装置である。図４において示した赤外線送信部９と赤外線受信部１１は統合して赤外線送受信部１２として表しており、同様に１５、３２、３６も赤外線送受信部である。テレビ受信部１８、１９、３１及び３６、振動センサー１０、３０の機能は、第２の実施の形態と同様である。
【００５３】
以下に、このように構成されたテレビ受信システムの動作について、図６を参照しながら説明する。ここでは携帯テレビ受信装置１０１を用いてあるテレビ番組を視聴していて、それを手に持って移動して居間などに入って、他の携帯テレビ受信装置と複数の据置きテレビ受信装置とも含めて、お互いにリモコン信号を送受信できるところにおかれた場合を想定している。図に示すように携帯テレビ受信装置１０１は、携帯テレビ受信装置２０２と２つの据置きテレビ受信装置１０２、２０３とに対してリモコン信号を送受信できる。
【００５４】
携帯テレビ受信装置１０１は第２の実施の形態において既に述べたように、第１ないし第２の状態遷移検出信号と視聴状態信号、選局情報とを他の装置とやり取りすることにより視聴していた番組情報を他の装置に転送して、番組を継続して視聴できるようにした。しかしこのような状況にそのまま適用すると、複数の装置においてリモコン信号の送信が同時に発生する可能性があり、混信が生じて正常な動作が期待できない。そのためそれらの情報をやり取りする際に、自らの固有番号とリモコン信号を受信すべき対象の機器の固有番号を付加して送信することとする。また視聴する番組を継続する装置の固有番号を予め記憶させておく。
【００５５】
例えば携帯テレビ受信装置１０１と据置きテレビ受信装置１０２との間で視聴番組を継続する場合には、例えば１０１などのような自らの固有番号と、リモコン信号を受信すべき対象の機器として例えば１０２などのような固有番号とを付加してリモコン信号を送信する。リモコン信号を受信した各装置は自らの固有番号が含まれているかどうかを検出して、もし含まれている場合にはそれに応答をする。その際にも自らの固有番号と送信元の装置の固有番号を付加してリモコン信号を送信する。このようにすれば複数の装置がお互いにリモコン信号を同時に送受信できる状況にあっても、応答する装置は一つとなるので混信は生じない。このようにして複数の装置が同時に交信できる場合でも視聴する番組を途切れることなく継続できることになる。
【００５６】
なお、上記の実施の形態では１つの部屋などの環境において複数のテレビ受信装置が配置され、お互いにリモコン信号を送受信できるように想定した。そのような場合においてリモコン送信部の指向性を相当狭く設計しかつ受信部は十分広く設計して、お互いに通信できる装置は一組になるようにすることも有用である。同様に送信パワーを小さくし、送信部と受信部とを相当接近させて設置すれば上記の状態と同様になるので、この方法でも確実な視聴番組の継続が図られるという効果がある。また、それぞれの装置が１０１や１０２などのように固有の番号を持つことにより、リモコン信号は赤外線による送受信のみならず家庭内の無線ＬＡＮ（ローカルエリアネットワーク）やブルートゥース（登録商標）等の無線通信を利用して伝送することも可能である。
【００５７】
なお、その他の動作、その作用、効果は、上記の第２の実施の形態と同様である。
【産業上の利用可能性】
【００５８】
本発明におけるテレビ受信システムの受信切替え機能及び方法は、簡易な方法で携帯テレビ受信装置と据置きテレビ受信装置との間で受信装置の自動切替えを行うことが可能になるので有用である。
【図面の簡単な説明】
【００５９】
【図１】本発明の第１の実施の形態におけるテレビ受信システムを示す構成図
【図２】本発明の第１、第２及び第３の実施の形態における振動センサーの動作フローチャート
【図３】（ａ）、（ｂ）本発明の第１の実施の形態におけるテレビ受信システムのリモコン信号交信手順図
【図４】本発明の第２の実施の形態におけるテレビ受信システムを示す構成図
【図５】（ａ）、（ｂ）本発明の第２の実施の形態におけるテレビ受信システムのリモコン信号交信手順図
【図６】本発明の第３の実施の形態におけるテレビ受信システムを示す構成図
【符号の説明】
【００６０】
１    アンテナ
２    選局部
３    復調部
４    制御部
５    記憶部
６    表示部
７    スピーカ
８    操作部
９、１７    赤外線送信部
１０、３０    振動センサー
１１、１６    赤外線受信部
１２、１５、３２、３６    赤外線送受信部
１３    タイマー
１８、１９，３１，３８    テレビ受信部
１０１、２０２    携帯テレビ受信装置
１０２、２０３    据置きテレビ受信装置
【図１】
2007074056.tif 000003
【図２】
2007074056.tif 000004
【図３】
2007074056.tif 000005
【図４】
2007074056.tif 000006
【図５】
2007074056.tif 000007
【図６】
2007074056.tif 000008